(57)【特許請求の範囲】
【請求項１】
光ディスク記録媒体にレーザ光を照射して前記記録媒体に対して情報信号を記録し又は再生する光ピックアップであって、
第１の波長を有する第１のレーザ光と第１の波長とは異なる第２の波長を有する第２のレーザ光を選択して発生するレーザ光発生器と、
該レーザ光発生器で発生された第１のレーザ光と第２のレーザ光が照射され該レーザ光のいずれをも同じ回折面で主ビームと二つの副ビームに分岐する一面二波長回折格子と、
該一面二波長回折格子で分岐された前記主ビームと二つの副ビームを発散ビームから平行ビームに変換するコリメートレンズと、
該コリメートレンズで平行ビームに変換された前記主ビームと二つの副ビームを前記記録媒体のデータ記録面に集光する対物レンズと、
前記データ記録面から反射された前記主ビームと二つの副ビームを集光する集光レンズと、
該集光レンズで集光された前記主ビームが照射され電気信号に変換する４個の受光エリアを有する第１の受光器と前記集光レンズで集光された前記二つの副ビームが照射され電気信号に変換する４個の受光エリアを有する第２と第３の受光器を備える光検出器を有し、
該光検出器に含まれる前記第１の受光器の中心が、前記第２の受光器の４個の受光エリアの中心と前記第３の受光器の４個の受光エリアの中心とを結ぶ直線上とは、異なる場所に位置するように前記第１、第２及び第３の受光器が配置されている光ピックアップ。
【請求項２】
請求項１に記載の光ピックアップにおいて、前記第２と第３の受光器のシフト量は、前記主ビームと副ビームに基づき生成されるＦＥ信号へのＴＲ信号の漏れ込み量が最小となるための、前記第２と第３の受光器における前記第１の受光器に対する線速度方向のスポットずれ量に基づくことを特徴とする光ピックアップ。
【請求項３】
請求項１に記載の光ピックアップにおいて、前記回折格子と前記対物レンズの間に、一方より照射されたレーザ光を通過させ、残る一方より照射されたレーザ光を反射させるビームスプリッタを有し、前記集光レンズには、前記ビームスプリッタで反射された反射光が照射されることを特徴とする光ピックアップ。
【発明の詳細な説明】
【技術分野】
【０００１】
本発明は光ピックアップに係り、特にトラッキング信号のフォーカス信号への漏れ込みを低減した光ピックアップに関するものである。
【背景技術】
【０００２】
ＣＤ（Compact Disc）、ＤＶＤ（Digital Versatile Disc）をはじめとする光ディスクに対して、情報信号を記録し再生する光ディスク装置のうち、特にＤＶＤを記録媒体とする光ディスク装置においては、ＣＤも記録媒体として使用できる必要がある。したがい、前記光ディスク装置における光ピックアップでは装着された記録媒体に応じて、ＣＤ用の近赤外レーザ光とＤＶＤ用の赤色レーザ光という互いに波長の異なるレーザ光のうち、いずれかを発生して、記録媒体に対する情報信号の記録再生を行う必要がある。
特許文献１においては、前記したような二波長型の光ピックアップの一例が開示されている。
【先行技術文献】
【特許文献】
【０００３】
【特許文献１】特開２００３−３１７２８０号公報
【発明の概要】
【発明が解決しようとする課題】
【０００４】
前記したような二波長型の光ピックアップは、当初は特許文献１の図３で示されるように、ＣＤ用とＤＶＤ用で別個のレーザ光源と回折格子を有し、双方のレーザ光源で発生されたレーザビームを略同じ光路に導くためのビームスプリッタを有していた。このため、光ピックアップの小型化に対応するには限界があった。
【０００５】
これに対して最近では小型化に対応すべく、特許文献１の図１で示されるように、ＣＤ用とＤＶＤ用のレーザ光源を近接して（例えば０．１ｍｍ程度）設けた二波長型のレーザ光源を使用し、回折格子をＣＤ用とＤＶＤ用で共用して１個とし、前記した目的のビームスプリッタを不要にした光ピックアップが一般的になっている。
【０００６】
前記回折格子を、ＣＤ用とＤＶＤ用で共用する件について考察する。回折格子とは、所定の回折周期を有するものであって、前記レーザ光源が発生したレーザビームを主ビーム（０次回折光）と二つの副ビーム（±１次回折光）に分岐させるように機能している。後記するように、光ピックアップは前記主ビームの反射光を検出する光検出器と、二つの副ビームそれぞれの反射光を検出する光検出器を別個に有している。光ディスク装置では、各光検出器で得た電気信号を演算して、トラッキング制御用のトラッキング信号とフォーカス制御用のフォーカス信号を生成し、光ピックアップの光ディスク上の記録トラックに対する水平方向（トラッキング方向）と垂直方向（フォーカス方向）の位置を制御している。
【０００７】
ＣＤとＤＶＤでは、使用するレーザ光の波長のみならず、光ディスク上のトラックピッチも異なるため、前記回折格子における回折周期の最適値は互いに異なっている。このため、前記目的の回折格子は、ＣＤ用の回折格子とＤＶＤ用の回折格子を厚さ方向（レーザ光の進行方向）の異なる位置に別個に有することが一般的である。この回折格子を二面二波長回折格子と呼ぶことがある。しかし、二面の回折格子を組合せるために価格的には高価である点が問題である。
【０００８】
これに対して最近では、一面の回折格子を有する一面二波長回折格子を使用することで、前記した価格の問題を解決するようになってきた。回折格子を一面とする場合には、双方のレーザ光が通過する位置に応じて最適な回折周期を用いるようにしているが、現実には困難な点もあって、双方に対してさほどの問題がない範囲で、最適値とは異なる回折周期が用いられている。
【０００９】
このため、特に二つの副ビームが光ディスクを照射する位置が最適値から若干ずれることになり、例えば前記したフォーカス制御用のフォーカス信号にトラッキング信号からの漏れ込みが発生し、フォーカス制御性能を損なう問題があった。
本発明の目的は前記した問題に鑑み、トラッキング信号のフォーカス信号への漏れ込みを低減した光ピックアップを提供することにある。
【課題を解決するための手段】
【００１０】
前記問題を解決するため本発明は、光ディスク記録媒体にレーザ光を照射して前記記録媒体に対して情報信号を記録し又は再生する光ピックアップであって、
第１の波長を有する第１のレーザ光と第１の波長とは異なる第２の波長を有する第２のレーザ光を選択して発生するレーザ光発生器と、該レーザ光発生器で発生された第１のレーザ光と第２のレーザ光が照射され該レーザ光のいずれをも同じ回折面で主ビームと二つの副ビームに分岐する一面二波長回折格子と、該一面二波長回折格子で分岐された前記主ビームと二つの副ビームを発散ビームから平行ビームに変換するコリメートレンズと、該コリメートレンズで平行ビームに変換された前記主ビームと二つの副ビームを前記記録媒体のデータ記録面に集光する対物レンズと、前記データ記録面から反射された前記主ビームと二つの副ビームを集光する集光レンズと、該集光レンズで集光された前記主ビームが照射され電気信号に変換する４個の受光エリアを有する第１の受光器と前記集光レンズで集光された前記二つの副ビームが照射され電気信号に変換する４個の受光エリアを有する第２と第３の受光器を備える光検出器を有し、
該光検出器の含む前記第２と第３の受光器は、前記第１の受光器に対して前記４個の受光エリアの中心位置が、前記光ピックアップに対する前記光ディスクの線速度方向に所定のシフト量をもってシフトして位置することを特徴としている。
【発明の効果】
【００１１】
本発明によれば、トラッキング信号のフォーカス信号への漏れ込みを低減した光ピックアップを提供でき、光ピックアップの基本性能の向上に寄与できるという効果がある。
【図面の簡単な説明】
【００１２】
【図１】本発明による光ピックアップを用いた光ディスク装置の一実施例を示すブロック図である。
【図２】本発明の一実施例における光ピックアップのブロック図である。
【図３】本発明の一実施例におけるフォーカス信号生成部のブロック図である。
【図４】光検出器の位置と漏れ込み信号振幅の関係の一例を示す図である。
【図５】光検出器の位置の一例を示す図である。
【図６】光検出器の位置と漏れ込み信号振幅の関係の別な一例を示す図である。
【図７】本発明の一実施例における光検出器の位置の一例を示す図である。
【図８】本発明の一実施例における光検出器の位置と漏れ込み信号振幅の関係を示す図である。
【図９】本発明の一実施例における光検出器の位置の別な一例を示す図である。
【発明を実施するための形態】
【００１３】
以下、本発明の実施例につき図面を用いて説明する。
図１は、本発明による光ピックアップを用いた光ディスク装置の一実施例を示すブロック図である。記録媒体である光ディスク１は、ＣＤ、ＤＶＤなどである。もちろん、ＣＤ−ＲやＤＶＤ−Ｒをはじめとする一回のみ記録が可能な追記型、ＣＤ−ＲＷやＤＶＤ−ＲＡＭをはじめとする書換え型、ＣＤ−ＲＯＭやＤＶＤ−ＲＯＭをはじめとする再生専用型 のいずれを用いても良い。装着された光ディスク１は、シャフト１１を介してスピンドルモータ１２により回転駆動される。そのための駆動制御信号はシステム制御回路６から供給されている。
【００１４】
光ピックアップ３は対物レンズ３１を介して、レーザ光束３２を光ディスク１の記録面に照射し、データを記録または再生する。
光ピックアップ３は、スレッド機構（図示せず）に搭載されており、光ディスク１上の半径方向に移動して所定のトラック位置においてデータの記録再生を行う。このための制御信号は、システム制御回路６で生成される。また対物レンズ３１はアクチュエータ（図示せず）に搭載されており、やはりシステム制御回路６で生成される制御信号に基づき、レーザ光束３２が光ディスク１の所定の記録トラック上に正しくフォーカスしてトレースするように、光ディスク１に対する垂直方向（フォーカス方向）と半径方向（トラッキング方向）の位置を微調整される。
【００１５】
光ピックアップ３が光ディスク１から再生した再生信号は、ＡＦＥ（Analog Front End）回路４に供給される。ＡＦＥ回路４は、ディジタル記録であっても本質的にはアナログ信号として扱うべき前記再生信号の処理を行う。即ちＡＦＥ回路４は、再生信号を演算処理してトラッキング信号（ＴＥ -Tracking Error- 信号）やフォーカス信号（ＦＥ -Focus Error- 信号）を生成し、システム制御回路６に供給する。システム制御回路６は、供給されたＴＥ信号やＦＥ信号に基づきトラッキング用とフォーカス用のサーボ信号を生成し、光ピックアップ３に供給してその動作を制御する。なお以下では、ＡＦＥ回路４においてＴＥ信号とＦＥ信号を生成する部分を、演算部と呼ぶことがある。
またＡＦＥ回路４は、光ピックアップ３や光ディスク１でデータを記録再生した際の振幅や位相の周波数特性を等化したうえで、等化されたデータを出力端子５に出力し、図示しない再生信号処理回路に供給する。なお、ＡＦＥ回路４はシステム制御回路６と同じ半導体チップ上に集積されることがある。また、前記再生信号処理回路もシステム制御回路６と同じ半導体チップ上に集積されることがある。
【００１６】
次に、図１の光ピックアップ３について説明する。
図２は、本発明の一実施例における光ピックアップのブロック図である。ＣＤ用とＤＶＤ用のレーザ光を発生する二波長のレーザ光発生器３３は、レーザダイオードを含んでおり、光ディスク装置に装着された光ディスク１の種類に応じて、ＣＤ用の近赤外レーザ光かＤＶＤ用の赤色レーザ光のいずれかを発生する。図中の矢印はレーザ光の概略の光路を示す。
【００１７】
前記したようにＣＤ用のレーザ光源とＤＶＤ用のレーザ光源は近接して設けられているが、実際には０．１ｍｍ程度の位置の違いがある。また、光ディスク上の記録トラックのピッチや光ディスク表面からの距離が異なることもあって、ＣＤ用のレーザ光とＤＶＤ用のレーザ光の間には若干の光路の違いがあるが、ここでは図面の煩雑化をさけるため、一つの光路で示している。
【００１８】
レーザ光発生器３３で発生されたレーザ光は、回折格子３４において３つのビーム光に分割される。一つは０次回折光と呼ばれる主ビームとなり、残る二つは±１次光と呼ばれる副ビームとなる。光ディスク１において、二つの副ビームが前記主ビームに対して、記録トラックの半径方向の双方に記録トラックピッチの１／２だけ離れた点を照射するよう、回折格子３４はレーザ光を分割する。
【００１９】
回折格子３４で分離された前記三つのビームは、ビームスプリッタ３５を通過し、コリメートレンズ３６で発散ビームから平行ビームに変換される。その後、平行ビームは全反射ミラー３７で光ディスク１の記録面に向けて反射され、対物レンズ３１の作用で光ディスクの記録面にフォーカスを結ぶように光路が屈折されて、光ディスク１に照射される。前記したように、対物レンズ３１はアクチュエータに搭載されており、光ディスク１の記録トラックを正確にトレースするよう、トラッキング方向とフォーカス方向の位置を制御されている。
【００２０】
さらに、光ディスク１からの反射光は、対物レンズ３１を介して全反射ミラー３７でコリメートレンズ３６の方向に反射された後、ビームスプリッタ３５でも反射されて集光レンズ３８に到る。集光レンズ３８で屈折された後、光検出器２０に向けて照射され、光の強度に応じた電気信号に変換される。前記電気信号を供給されたＡＦＥ回路４は、前記信号に基づき、光ディスク１に記録されていた情報信号の周波数特性を等化し、さらには前記したＴＥ信号とＦＥ信号を生成する。
【００２１】
なお、図２に示した光ピックアップの構成は、本発明を限定するものではない。例えば前記した特許文献１では、ビームスプリッタ３５とコリメートレンズ３６が逆に配置されている。また、光ピックアップ３の厚さが問題でない場合には、全反射ミラー３７をなくし、レーザ光発生器３３からレーザ光を光ディスク１に向けて発生するようにしても良い。このように本発明は、図２とは異なる光ピックアップに対しても適用できる。
【００２２】
次に、ＡＦＥ回路４におけるＦＥ信号の生成方法について説明する。
図３は、本発明の一実施例におけるＦＥ信号生成部のブロック図である。図３の左寄りには、前記した三つの回折光（０次回折光と±１次回折光）が照射される光ディスク上の位置と、記録トラックとの位置との関係が概念的に示されている。もちろん、これはトラッキング制御とフォーカス制御が行われている状態である。また、光ディスク１として情報信号が記録可能なタイプが使われており、未記録の状態から途中まで記録済の状態に遷移中である場合を示している。
【００２３】
前記したように光ピックアップ３は、光ディスク１で反射されたレーザ光を受光するための光検出器２０を有している。光検出器２０は、記録トラックのトラックピッチをＴｒとすると、中心に対してほぼ±Ｔｒの範囲からの反射光を受光している。また光検出器２０は、前記した三つの回折光に応じてトラッキング方向に互いにＴｒ／２だけ離れた３つの受光器を有しており、また各受光器は４つの受光エリアを有している。ＡＦＥ回路４は、これら４つの受光エリアにおいて受光されたレーザ光に基づいて得た電気信号を演算し、ＦＥ信号を生成している。
【００２４】
図３において、例えば前記０次回折光に由来する反射光を受光する第１の受光器２２（以下、主受光器と呼ぶことがある）におけるＡ、Ｂ、Ｃ、Ｄと記した４つの受光エリアにおいて受光されたレーザ光に基づく電気信号を、同じくＡ、Ｂ、Ｃ、Ｄと表す。加算器２４２、２４３、減算器２５１を用いて演算して得た信号を、ＣＡＤ（Conventional Astigmatism Detection）信号と呼ぶ。
ＦＥ（ＣＡＤ）＝（Ａ＋Ｃ）−（Ｂ＋Ｄ）          （式１）
また受光器２２を挟んで、光ディスク１の半径方向（トラッキング方向）に±Ｔｒ／２だけ離れた位置を中心に、やはり４つの受光エリアを有する第２の受光器２１、第３の受光器２３（以下、双方を副受光器と呼ぶことがある）は、前記±１次回折光に基づく反射光を受光する。減算器２４１、２４４、加算器２５２を用いて得た信号を、ＳＡＤ（Subsidiary Astigmatism Detection）信号と呼ぶ。
ＦＥ（ＳＡＤ）＝（ＥＦ１＋ＥＦ３）−（ＥＦ２＋ＥＦ４）      （式２）
ここでは、第２の受光器２１の４つの受光エリアに基づく電気信号をＥ１、Ｅ２、Ｅ３、Ｅ４とし、第３の受光器２３の４つの受光エリアに基づく電気信号をＦ１、Ｆ２、Ｆ３、Ｆ４とし、さらに例えばＥ１とＦ１の加算信号をＥＦ１と表している。
【００２５】
ＳＡＤ信号に係数器２６で所定の定数Ｋを掛け算して、加算器２７で先のＣＡＤ信号と加算すると出力端子２８には、ＤＡＤ（Differential Astigmatism Detection）信号が得られる。
ＦＥ（ＤＡＤ）＝ＦＥ（ＣＡＤ）＋Ｋ＊ＦＥ（ＳＡＤ）＝｛（Ａ＋Ｃ）−（Ｂ＋Ｄ）｝＋Ｋ＊{(ＥＦ１＋ＥＦ３)−（ＥＦ２＋ＥＦ４）}    （式３）
（式３）の信号をＦＥ信号としてフォーカスサーボ制御を行うのが、現在汎く用いられているＤＡＤ方式である。
なお、係数器２６における係数Ｋは、ＤＡＤ信号におけるトラッキング信号の漏れ込みが最小となるように、予め決められている。或いは出力端子２８におけるＤＡＤ信号の振幅を検出する検出器を設けて係数Ｋを適宜制御し、常にその振幅が最小となるように制御しても良い。
【００２６】
光検出器２０は、現在は単なる光学部品ではなく、検出した光に基づき生成される電気信号の発生部と一体となった光学電気部品であることが多い。これはＯＥＩＣ（Optical Electronic Integrated Circuit）とも呼ばれ、集積回路の一種でもある。したがい、前記した受光部２１、２２、２３とその分割された受光エリアは、集積回路プロセスを用いて極めて高い位置精度で形成される。
なお、第１の受光器２２、加算器２４２、２４３、減算器２５１についてはメインフォーカス系、第２の受光器２１と第３の受光器２３、及び減算器２４１、２４４、加算器２５２、係数器２６についてはサブフォーカス系と呼ぶことがある。
【００２７】
次に、図２の回折格子３４を一面二波長回折格子とする場合の課題と、新たな改善方法について説明する。
図４は、光検出器の位置と漏れ込み信号振幅の関係の一例を示す図であり、例えばＤＶＤ用のレーザ光に対して最適に設計された回折周期の回折格子を使用した場合を示している。図中の横軸はＰＤＴ、縦軸はＸＴＫである。
【００２８】
ＰＤＴとは図３の受光器２１、２２、２３における図面上で横方向（光ピックアップ３に対する光ディスク１の線速度方向）のＰＤバランス（ＰＤ；Photo Detector）を指す。例えば受光器２２では、フォーカス制御が行われ最適なフォーカスが結ばれた状態において、
ＰＤＴ＝{（Ｄ＋Ｃ）−（Ａ＋Ｂ）} ／（Ａ＋Ｂ＋Ｃ＋Ｄ）      （式４）
と表せる。即ち、各ビーム光は各受光器に対して、最適なフォーカスが結ばれた状態では略真円形で、フォーカスがいずれかの方向に外れた状態では略楕円形で結像するが、ＰＤＴとは前者の状態での値を意味する。各受光器は図３において、ＰＤＴが正の値であれば右方向に、負の値であれば左方向に、照射されるビーム光に対する相対的な位置がシフトしていることとなる。
【００２９】
一方、ＸＫＴ（Crosstalk Noise；クロストークノイズ）とはＦＥ信号に対して漏れ込むＴＲ信号、即ちトラックずれにより生じるノイズ信号の振幅を表す。図中の（１）はＭａｉｎ信号に漏れ込むクロストークノイズの振幅であり、先に（式１）で表したＣＡＤ信号に漏れ込むクロストークノイズの振幅である。同様に（２）はＳｕｂ信号に漏れ込むクロストークノイズの振幅であり、先に（式２）で表したＳＡＤ信号に漏れ込むクロストークノイズの振幅である。また、（３）は先に（式３）で示したＤＡＤ信号に漏れ込むクロストークノイズの振幅である。
【００３０】
ＣＡＤ信号に漏れ込むクロストークノイズとＳＡＤ信号に漏れ込むクロストークノイズは、原理的には位相が互いに逆である。このため、双方を加算すると互いに振幅が打ち消される。したがい、図３の出力端子２８におけるＤＡＤ信号は、トラッキング信号からの漏れ込みの少ないフォーカス信号となり、精度の良いフォーカス制御をすることができる。また、前記したように係数器２６における係数Ｋは、出力端子２８におけるＤＡＤ信号の振幅が最小となるように予め定めると良い。或いは、出力端子２８におけるＤＡＤ信号の振幅を検出し、これを最小とするように係数Ｋを制御する制御部が設けられると良い。
【００３１】
図４においては、前記したように例えばＤＶＤ用のレーザ光に対して最適に設計された回折周期の回折格子を使用した場合を示している。或いは、二波長レーザ光発生器を用いる場合でも二面二波長回折格子を用いて、ＣＤ用とＤＶＤ用のいずれのレーザ光も最適に回折させ主ビームと副ビームを生成する場合も同様である。これらの場合には、図４の（３）で示すように原理にほぼ従って、ＦＥ信号に対するＴＲ信号の漏れ込みを低減することができる。
しかし、一面二波長回折格子を用いる場合には、さらに工夫が必要である。
【００３２】
図５は、光検出器の位置の一例を示す図である。
図６は、光検出器の位置と漏れ込み信号振幅の関係の別な一例を示す図であり、回折格子として一面二波長回折格子を用いる場合の例を示している。
【００３３】
図５では、図３の受光器２１、２２、２３の各中心位置が図面上の横方向で一致した状態を示している。なお、先の図４におけるＸＴＫとＰＤＴの関係も図５で示す位置関係において測定されている。同様に図５で示す各受光器の位置関係において、一面二波長回折格子を用いた際に、図４と同様の方法でＰＤＴとＸＴＫの関係を測定した例が図６である。
【００３４】
図６では図４とは異なり、（１）で示すＭａｉｎ信号に漏れ込むクロストークノイズと、（２）で示すＳｕｂ信号に漏れ込むクロストークノイズとの間では、特性の中心が異なっている。このため、（３）で示すＤＡＤ信号に漏れ込むクロストークノイズの振幅は到るところで図４よりも大きい。このため、ＦＥ信号に対するＴＲ信号の漏れ込みが大きい状態でフォーカス制御をすることとなり、フォーカスサーボ性能が低下する問題がある。
【００３５】
図６で示すような特性となる原因は、一面二波長回折格子を用いることにより、必ずしもＣＤとＤＶＤ用の双方のレーザ光に対して最適な回折効果を与えることができず、副ビームが照射する光ディスク上での位置が主ビームに対して最適位置とならないことにある。
【００３６】
次に、前記した問題に対応した本実施例における解決方法について述べる。
図７は、本発明の一実施例における光検出器の位置の一例を示す図である。
図８は、本発明の一実施例における光検出器の位置と漏れ込み信号振幅の関係を示す図である。
【００３７】
先の図６において、（２）で示すＳｕｂ信号に漏れ込むクロストークノイズの特性は、（１）で示すＭａｉｎ信号に漏れ込むクロストークノイズの特性に対して、ＰＤＴが正の方向にシフトしている。これは、±１次の回折光（副ビーム）が０次の回折光（主ビーム）に対して、図３または図５の右側にシフトした位置を中心に光ディスクに照射されることを意味する。
そこで本実施例においては、図７に示すように第１の受光器２２に対して第２及び第３の受光器の位置を右側にシフトすることにより、前記した特性のずれを解消するようにしている。
【００３８】
図７で示す受光器と一面二波長回折格子を用いて、前記したＰＤＴとＸＴＫの関係を実測した例が図８である。図８では、（２）で示すＳｕｂ信号に漏れ込むクロストークノイズの特性は、（１）で示すＭａｉｎ信号に漏れ込むクロストークノイズの特性に対して、中心がほぼ一致しており、図４に類似して（３）で示すＤＡＤ信号に漏れ込むクロストークノイズの振幅は低減されている。このため、ＦＥ信号に対するＴＲ信号の漏れ込みが小さい状態でフォーカス制御をすることとなり、フォーカスサーボ性能を改善する効果がある。
【００３９】
なお、図７において第１の受光器２２に対して、第２の受光器２１と第３の受光器２３の位置を右側にシフトするとしたのは一例である。一面二波長回折格子の設計次第では、異なる方向にシフトすることもある。
図７で示したような受光器の配置方法は、二波長レーザ光発生器を有する光ピックアップにおけるＤＶＤ用の受光器のみならず、ＣＤ用の受光器にも適用して良い。
【００４０】
図９は、本発明の一実施例における光検出器の位置の別な一例を示す図であり、前記受光器２１、２２、２３のほかにＣＤ用の受光器２１Ａ、２２Ａ、２３Ａを近接して設けた例を示している。いずれもがＦＥ信号に対するＴＲ信号の漏れ込みが小さい状態でフォーカス制御されるよう、相対的な位置関係が定められている。
【００４１】
なお、図７と図９では、図面が容易に理解されるよう、第１の受光器２２（２２Ａ）に対する他の受光器２１（２１Ａ）、２３（２３Ａ）の位置を、実際にあり得る値よりも大きくシフトして示している。例えばＤＶＤ用の受光器は通常１００μｍ角程度の大きさを有するが、前記したシフト量は実際には１μｍ前後となることが多い。
前記したように受光器は半導体プロセスを用いて製造されるものであるから、１μｍ程度のシフト量を公差も含め管理して製造することには何ら問題はない。
ここまで示した実施形態は一例であって、本発明を限定するものではない。本発明の趣旨に基づきながら異なる実施形態を考えられるが、いずれも本発明の範疇にある。
【符号の説明】
【００４２】
１：光ディスク、３：光ピックアップ、４：ＡＦＥ回路、２０：受光器、２６：係数器、３１：対物レンズ、３３：レーザ光発生器、３４：回折格子、３５：ビームスプリッタ、３６：コリメートレンズ、３７：全反射ミラー、３８：集光レンズ。
【図１】
0005427121.tif 000002
【図２】
0005427121.tif 000003
【図３】
0005427121.tif 000004
【図４】
0005427121.tif 000005
【図５】
0005427121.tif 000006
【図６】
0005427121.tif 000007
【図７】
0005427121.tif 000008
【図８】
0005427121.tif 000009
【図９】
0005427121.tif 000010